(57)【要約】【課題】操作部材の押し込み時に操作者の指等にグリスが付着することを防止する、開閉体のロック装置及び押し込み式操作装置を提供する。【解決手段】このロック装置１０は、ハウジング２０と、ハウジング２０に対して押込み可能に装着され、開閉体が閉じてロックされた状態から該ロックを解除する操作部材４０とを備え、操作部材４０は、押込み部４１と、押込み部４１の裏側であって、その外周縁よりも内側から突設した一対のガイド用ボス４６，４７とを有しており、ハウジング２０には、ガイド用ボス４６，４７のそれぞれが挿入されて、操作部材４０の押込み動作をガイドする、筒状をなした一対のガイド筒３０，３１が設けられており、ガイド用ボスと対応するガイド筒との間に潤滑剤が塗布されている。【選択図】図７
2015158115.tif 000002
【特許請求の範囲】
【請求項１】
固定体の開口部に開閉可能に取付けられる開閉体のロック装置であって、
前記開閉体又は前記固定体に取付けられたハウジングと、該ハウジングに対して押し込み可能に装着されると共に、前記開閉体が閉じてロックされた状態から該ロックを解除する操作部材とを備え、
前記操作部材は、操作者に押圧される部分となる押込み部と、該押込み部の裏側であって、同押込み部の外周縁よりも内側から突設した複数のガイド用ボスとを有しており、
前記ハウジングには、前記ガイド用ボスのそれぞれが挿入されて、前記操作部材の押し込み動作をガイドする、筒状をなした複数のガイド筒が設けられており、前記ガイド用ボスと対応する前記ガイド筒との間に潤滑剤が塗布されていることを特徴とする開閉体のロック装置。
【請求項２】
前記ガイド用ボスは一対設けられ、一方のガイド用ボスに対応する前記ガイド筒の内周は、前記一対のガイド用ボスの配列方向及びそれに直交する方向において、同ガイド用ボスの外周に適合する断面形状をなし、
他方のガイド用ボスに対応する前記ガイド筒の内周は、前記一対のガイド用ボスの配列方向に直交する方向において、同ガイド用ボスの外周に適合すると共に、前記配列方向において同ガイド用ボスが遊嵌する長孔状断面をなしている請求項１記載の開閉体のロック装置。
【請求項３】
前記開閉体は、自動車のグローブボックスの開口部に開閉可能に取付けられるリッドであるか、又は、自動車のインストルメントパネルの開口部に開閉可能に取付けるグローブボックスであり、
前記ハウジングに設けられた前記一対のガイド筒のうち、長孔状断面をなした前記ガイド筒は、車両の運転席寄りの位置に配置され、他方のガイド筒は、長孔状断面をなした前記ガイド筒よりも、助手席側の位置に配置されている請求項２記載の開閉体のロック装置。
【請求項４】
前記ハウジングには、前記長孔状断面をなすガイド筒の側方に、同ガイド筒の背面側開口に対して、出没可能に移動するストッパを有するキーシリンダが配置されており、該キーシリンダをキーで回転させることで、前記ストッパが前記ガイド筒の背面側開口を覆うように移動して、前記ガイド用ボスの押し込み方向の移動を制止するように構成されている請求項２又は３記載の開閉体のロック装置。
【請求項５】
前記ガイド用ボスの外周には、スリットを介して内方に撓み可能な抜け止め片が形成されており、前記ガイド筒の前記ガイド用ボスの挿入口側は、前記抜け止め片が係合して抜け止めをなす形状をなすと共に、前記ガイド筒の挿入口より奥側には、前記抜け止め片がスライド可能に挿入される溝部が形成されている請求項１〜４のいずれか１つに記載の開閉体のロック装置。
【請求項６】
被取付け部材に取付けられるハウジングと、該ハウジングに対して押し込み可能に装着される操作部材とを備え、
前記操作部材は、操作者に押圧される部分となる押込み部と、該押込み部の裏側であって、同押込み部の外周縁よりも内側から突設した複数のガイド用ボスとを有しており、
前記ハウジングには、前記ガイド用ボスのそれぞれが挿入されて、前記操作部材の押込み動作をガイドする、筒状をなした複数のガイド筒が設けられており、前記ガイド用ボスと対応する前記ガイド筒との間に潤滑剤が塗布されていることを特徴とする押し込み式操作装置。
【請求項７】
前記ガイド用ボスは一対設けられ、一方のガイド用ボスに対応する前記ガイド筒の内周は、前記一対のガイド用ボスの配列方向及びそれに直交する方向において、同ガイド用ボスの外周に適合する断面形状をなし、
他方のガイド用ボスに対応する前記ガイド筒の内周は、前記一対のガイド用ボスの配列方向に直交する方向において、同ガイド用ボスの外周に適合すると共に、前記配列方向において同ガイド用ボスが遊嵌する長孔状断面をなしている請求項６記載の押し込み式操作装置。
【発明の詳細な説明】
【技術分野】
【０００１】
本発明は、固定体の開口部に開閉可能に取付けられる開閉体を閉じた状態にロックするための開閉体のロック装置、及び、開閉体のロック解除等に用いられる押し込み式操作装置に関する。
【背景技術】
【０００２】
例えば、自動車のグローブボックス等の固定体に形成された開口部には、リッド等の開閉体が開閉可能に取付けられている。そして、開口部をリッド等で閉じた状態にロックすると共に、開口部からリッド等を開いた状態とするためのロック装置が設けられている。
【０００３】
例えば、下記特許文献１には、開閉体に取付けられたハウジングと、該ハウジングに回転可能に装着された回転部材と、該回転部材に同期してスライド動作する一対のリンクロッドと、リンクロッド先端の各フック部を固定体のロック部に係合させる方向に付勢するスプリングと、ハウジングに押し込み可能に取付けられた操作部材とを備え、操作部材側にカム斜面を有する壁部が形成され、回転部材にカム当接部が形成され、操作部材を押し込むことで、カム斜面及びカム当接部を介して回転部材を回転させて、リンクロッドのフック部がロック部に係合しない位置にスライドさせる、開閉体のロック装置が記載されている。
【０００４】
前記ハウジングには、四角枠状の配置凹部が形成され、その角部にはガイド孔がそれぞれ形成され、所定のガイド孔にガイド溝が設けられている。一方、前記操作部材は、前記配置凹部に適合する横長板状の押圧部を有しており、その裏側角部からガイド片がそれぞれ延設し、所定のガイド片にはガイドリブが突設されている。そして、操作部材の各ガイド片がハウジングのガイド孔にそれぞれ挿入されると共に、各ガイドリブが各ガイド溝に入りんで、ハウジングに対する操作部材の押込み動作がガイドされるようになっている。また、ガイド溝内周やガイドリブ外面には、操作部材の摺動抵抗軽減用の潤滑剤（グリス）が塗布されている。
【先行技術文献】
【特許文献】
【０００５】
【特許文献１】国際公開ＷＯ２０１３／１８７３８８号パンフレット
【発明の概要】
【発明が解決しようとする課題】
【０００６】
しかしながら、上記特許文献１記載の開閉体のロック装置の場合、ハウジングのガイド溝内周や、操作部材のガイドリブ外周等に、グリスが塗布されているので、ハウジングに対して操作部材を奥まで押し込んで、ガイド溝やガイドリブが露出したときに、誤って操作者の指や手にグリスが付着してしまうことがあった。
【０００７】
したがって、本発明の目的は、ハウジングに対して操作部材を押し込んだときに、操作者の指や手にグリスが付着することを防止することができる、開閉体のロック装置及び押し込み式操作装置を提供することにある。
【課題を解決するための手段】
【０００８】
上記目的を達成するため、本発明の１つは、固定体の開口部に開閉可能に取付けられる開閉体のロック装置であって、前記開閉体又は前記固定体に取付けられたハウジングと、該ハウジングに対して押し込み可能に装着されると共に、前記開閉体が閉じてロックされた状態から該ロックを解除する操作部材とを備え、前記操作部材は、操作者に押圧される部分となる押込み部と、該押込み部の裏側であって、同押込み部の外周縁よりも内側から突設した複数のガイド用ボスとを有しており、前記ハウジングには、前記ガイド用ボスのそれぞれが挿入されて、前記操作部材の押し込み動作をガイドする、筒状をなした複数のガイド筒が設けられており、前記ガイド用ボスと対応する前記ガイド筒との間に潤滑剤が塗布されていることを特徴とする。
【０００９】
本発明の開閉体のロック装置においては、前記ガイド用ボスは一対設けられ、一方のガイド用ボスに対応する前記ガイド筒の内周は、前記一対のガイド用ボスの配列方向及びそれに直交する方向において、同ガイド用ボスの外周に適合する断面形状をなし、他方のガイド用ボスに対応する前記ガイド筒の内周は、前記一対のガイド用ボスの配列方向に直交する方向において、同ガイド用ボスの外周に適合すると共に、前記配列方向において同ガイド用ボスが遊嵌する長孔状断面をなしていることが好ましい。
【００１０】
本発明の開閉体のロック装置においては、前記開閉体は、自動車のグローブボックスの開口部に開閉可能に取付けられるリッドであるか、又は、自動車のインストルメントパネルの開口部に開閉可能に取付けるグローブボックスであり、前記ハウジングに設けられた前記一対のガイド筒のうち、長孔状断面をなした前記ガイド筒は、車両の運転席寄りの位置に配置され、他方のガイド筒は、長孔状断面をなした前記ガイド筒よりも、助手席側の位置に配置されていることが好ましい。
【００１１】
本発明の開閉体のロック装置においては、前記ハウジングには、前記長孔状断面をなすガイド筒の側方に、同ガイド筒の背面側開口に対して、出没可能に移動するストッパを有するキーシリンダが配置されており、該キーシリンダをキーで回転させることで、前記ストッパが前記ガイド筒の背面側開口を覆うように移動して、前記ガイド用ボスの押し込み方向の移動を制止するように構成されていることが好ましい。
【００１２】
本発明の開閉体のロック装置においては、前記ガイド用ボスの外周には、スリットを介して内方に撓み可能な抜け止め片が形成されており、前記ガイド筒の前記ガイド用ボスの挿入口側は、前記抜け止め片が係合して抜け止めをなす形状をなすと共に、前記ガイド筒の挿入口より奥側には、前記抜け止め片がスライド可能に挿入される溝部が形成されていることが好ましい。
【００１３】
本発明のもう１つは、被取付け部材に取付けられるハウジングと、該ハウジングに対して押し込み可能に装着される操作部材とを備えた押し込み式操作装置であって、前記操作部材は、操作者に押圧される部分となる押込み部と、該押込み部の裏側であって、同押込み部の外周縁よりも内側から突設した複数のガイド用ボスとを有しており、前記ハウジングには、前記ガイド用ボスのそれぞれが挿入されて、前記操作部材の押込み動作をガイドする、筒状をなした複数のガイド筒が設けられており、前記ガイド用ボスと対応する前記ガイド筒との間に潤滑剤が塗布されていることを特徴とする。
【００１４】
本発明の押し込み式操作装置においては、前記ガイド用ボスは一対設けられ、一方のガイド用ボスに対応する前記ガイド筒の内周は、前記一対のガイド用ボスの配列方向及びそれに直交する方向において、同ガイド用ボスの外周に適合する断面形状をなし、他方のガイド用ボスに対応する前記ガイド筒の内周は、前記一対のガイド用ボスの配列方向に直交する方向において、同ガイド用ボスの外周に適合すると共に、前記配列方向において同ガイド用ボスが遊嵌する長孔状断面をなしていることが好ましい。
【発明の効果】
【００１５】
本発明によれば、固定体の開口部が開閉体により閉じた状態で、操作部材の押込み部をハウジングに対して押し込むと、複数のガイド用ボスが対応するガイド筒によりガイドされながら操作部材が押し込まれ、その結果、可動ロック部材とロック部との結合が解除されて、開閉体を開くことができる。
【００１６】
このとき、複数のガイド用ボスが、押込み部の外周縁の内側から突設し、かつ、それらが対応するそれぞれのガイド筒に挿入されているので、ガイド用ボスやガイド筒間に塗布された摺動用のグリスが保持されて、操作部材を押し込んだときに露出する部分、例えば、ハウジング内周や、操作部材の押込み部外周等に漏れにくくすることができ、操作者の指や手にグリスが付着することを防止することができる。
【図面の簡単な説明】
【００１７】
【図１】本発明に係る開閉体のロック装置及び本発明に係る押し込み式操作装置の、一実施形態を示す分解斜視図である。
【図２】図１のＡ部における拡大斜視図である。
【図３】図１のＢ部における拡大斜視図である。
【図４】図１のＣ部における拡大斜視図である。
【図５】図１のＤ部における拡大斜視図である。
【図６】同ロック装置の当接ロック構造を示す斜視図である。
【図７】同ロック装置及び操作装置の、要部の分解斜視図である。
【図８】同ロック装置及び操作装置の、要部の背面側斜視図である。
【図９】同ロック装置及び操作装置の、要部の正面側斜視図である。
【図１０】同ロック装置及び操作装置を構成する操作部材の斜視図である。
【図１１】同ロック装置及び操作装置において、操作部材を取り除いた状態の要部正面図である。
【図１２】同ロック装置及び操作装置の要部正面図である。
【図１３】（ａ）は同ロック装置及び操作装置を構成するハウジングの斜視図、（ｂ）は同ロック装置及び操作装置において、操作部材を押し込んだ状態を示す斜視図である。
【図１４】同ロック装置及び操作装置を構成するハウジングの断面図である。
【図１５】同ロック装置及び操作装置において、操作部材及び一対のロータを示す斜視図である。
【図１６】同ロック装置及び操作装置の要部背面図である。
【図１７】同ロック装置及び操作装置の要部断面図である。
【図１８】図１７に示す状態から、操作部材を押し込んだ状態の要部断面図である。
【図１９】同ロック装置において、一対のロータの動作を示しており、（ａ）は操作部材が操作された状態の説明図、（ｂ）は一方のロータに連結されたロッド先端部が引き込み保持された状態の説明図、（ｃ）は操作部材の操作前の状態の説明図である。
【図２０】同ロック装置及び操作装置において、一対のロッドを取り除いた状態の要部背面図である。
【図２１】同ロック装置において、ロッド先端部を引き込み保持する保持手段の概略構造を示す斜視図である。
【図２２】（ａ）はロッド先端部が引き込み保持される前の状態の説明図、（ｂ）はロッド先端部が引き込み保持された状態の説明図である。
【図２３】同ロック装置において、固定体の開口部を開閉体で閉じた状態にロックした場合の断面説明図である。
【図２４】同ロック装置において、固定体の開口部から開閉体を開いた状態の断面説明図である。
【図２５】本発明に係る開閉体のロック装置及び本発明に係る押し込み式操作装置の、他の実施形態を示す分解斜視図である。
【図２６】同ロック装置及び操作装置の、要部の分解斜視図である。
【図２７】（ａ）は固定体の開口部を開閉体で閉じた状態にロックした場合の説明図、（ｂ）は固定体の開口部から開閉体を開いた状態の説明図である。
【発明を実施するための形態】
【００１８】
以下、図１〜２４を参照して、本発明に係る開閉体のロック装置及び本発明に係る押し込み式操作装置の、一実施形態について説明する。
【００１９】
図１に示すように、この実施形態における開閉体のロック装置１０（以下、「ロック装置１０」という）は、車両のインストルメントパネルに設けられた横長枠状のグローブボックス１（本発明における「固定体」）の開口部２に、開閉可能に取付けられるリッド７（本発明における「開閉体」）を開閉ロックするために用いられるものである。
【００２０】
なお、開閉体のロック装置としては、例えば、インストルメントパネルの開口部に箱状のグローブボックスが回動可能に取付けられた構造に適用したり（この場合、インストルメントパネルが「固定体」、グローブボックスが「開閉体」をなす）、或いは、インストルメントパネルの開口部にリッドが開閉可能に取付けられた構造（この場合、インストルメントパネルが「固定体」、リッドが「開閉体」をなす）に適用したりしてもよく、固定体の開口部を開閉する各種の開閉体に広く用いることができる。
【００２１】
また、この実施形態における押し込み式操作装置１１（以下、「操作装置１１」という）は、例えば、上記のような固定体の開口部に開閉可能に取付けられた開閉体の、ロック状態を解除するために用いられる。但し、この操作装置としては、例えば、車両のインストルメントパネルに配設された各種装置（エアコンや、ハザードランプ、オーディオ機器等）のオンオフ操作、トリップメーターのリセット操作等に用いてもよく、操作部材を押し込むことで、対象物を動作させたり、機能を発揮させたりするものであれば、特に限定はされない。
【００２２】
図１及び図２に示すように、前記グローブボックス１の開口部２の一側部内方には、角孔状のロック部３が設けられている。なお、ロック部３は、孔状でなくとも、後述するロッド７０が係合可能な形状（突起形状等）であればよい。
【００２３】
一方、図１及び図４に示すように、前記グローブボックス１の開口部２の他側部内方には凹部４が設けられており、該凹部４内には磁石吸着部材５が配置されている。この磁石吸着部材５は、後述するロッド８０に設けられる磁石８３（図５参照）が吸着可能な金属（鉄等）から形成され、その先端面が平坦な磁気吸着面５ａをなしている。この凹部４及び磁石吸着部材５が、本発明におけるもう一つの「ロック部」をなしている。なお、グローブボックス１の開口部２の他側部内方に、孔状や突起形状等をなしたロック部を設けてもよい。
【００２４】
図１に示すように、前記リッド７は、グローブボックス１の開口部２を覆う板状のパネル８と、該パネル８の裏側上方に配設された箱状のボックス９とを有しており、同リッド７の下部両側が図示しない支軸を介して、グローブボックス１の開口部２に開閉可能に取付けられている。前記パネル８と前記ボックス９との間の内部空間に、ロック装置１０が配置されるようになっている。また、図３及び図５に示すように、ボックス９の幅方向両側からは、ロッド挿出孔９ａ，９ａがそれぞれ形成されている。
【００２５】
図１及び図７〜９に示すように、この実施形態におけるロック装置１０は、前記リッド７に取付けられるハウジング２０と、該ハウジング２０の正面側に装着されるベゼル３８と、前記ハウジング２０に対して押込み可能に装着される操作部材４０と、前記ハウジング２０に回転可能に装着された第１ロータ５０及び第２ロータ６０と、各ロータ５０，６０に連結されたロッド７０，８０と、ロッド７０の係合部７１（図１参照）を前記ロック部３に係合する方向となるように、かつ、ロッド８０の当接部８１（図１参照）を前記磁石吸着部材５に当接する方向となるように、両ロッド７０，８０を付勢するねじりコイルばね１５とから主として構成されている。
【００２６】
すなわち、このロック装置は、前記開閉体又は前記固定体の開口部のどちらか一方に設けられたロック部と、前記開閉体又は前記固定体の開口部のどちらか他方に取付けられ、前記ロック部に離脱可能に結合する可動ロック部材と、前記可動ロック部材を、前記ロック部に結合する方向に付勢する付勢手段と、前記開閉体又は前記固定体に取付けられたハウジングと、前記ハウジングに対して押込み可能に装着されると共に、前記可動ロック部材を前記ロック部から離脱する位置に移動させる操作部材とを備えている。
【００２７】
また、この実施形態における操作装置１１は、少なくとも、前記リッド７に取付けられるハウジング２０と、前記ハウジング２０に対して押込み可能に装着される操作部材４０とを有している。
【００２８】
なお、図７に示すように、前記ねじりコイルばね１５は、巻回部１６と、該巻回部１６の周方向一端から巻回部内径側に向けて屈曲した一端部１７と、前記巻回部１６の周方向他端から巻回部内径側に向けて屈曲した他端部１８とからなる。このねじりコイルばね１５が、本発明における「付勢手段」をなしている。
【００２９】
まず、ハウジング２０に対して押込み可能に装着される操作部材４０について説明する。
【００３０】
図９、図１０及び図１２に示すように、この操作部材４０は、後述するハウジング２０の横長の四角凹状の操作部材配置部２１（図１１等参照）に適合する横長の四角板状をなし、操作者に押圧される部分となる押込み部４１を有している。この押込み部４１の裏側周縁からは、所定高さで枠状のリブ４３が突出している。また、前記押込み部４１の裏側中央からは、略円弧状の断面をなした押込み凸部４５が突設されている。
【００３１】
更に、押込み部４１の裏側であって、同押込み部４１の外周縁よりも内側からは、一対のガイド用ボス４６，４７が突設されている。この実施形態における一対のガイド用ボス４６，４７は、図１０に示すように、前記押込み部４１の裏側周縁に突出したリブ４３の内側となるように、かつ、同リブ４３に外周の一部が乗り上がるように、同押込み部４１の裏側の長手方向両側から突設されている。また、一対のガイド用ボス４６，４７の、互いに離れた位置にある外周部分には、コ字状のスリット４８が形成されており、該スリット４８を介して、ボス内方に向けて撓み可能な抜け止め片４６ａ，４７ａがそれぞれ形成されている。
【００３２】
ところで、この操作部材４０は、ハウジング２０に装着された状態で、図１７に示すように、前記押込み凸部４５が、一対のロータ５０，６０のカム斜面５５，６５（後述する）の上端部に当接して、ハウジング２０の正面側に向けて押圧されており、ハウジング２０の背面側に向けて押込み可能となっている。なお、操作部材４０とハウジング２０との間に、コイルスプリング等の弾性手段を介在させて、操作部材４０をハウジング正面側に付勢するようにしてもよい。
【００３３】
次に、上記操作部材４０が装着されるハウジング２０について説明する。
【００３４】
図７、図１１及び図１７に示すように、前記ハウジング２０は横長箱状をなしており、その表側のほぼ中央に、操作部材４０の前記押込み部４１が収容配置される、横長の四角凹状の操作部材配置部２１（図１１参照）が形成されている。このハウジング２０の表側の長手方向一側部に、キーシリンダ９０（図９及び図１７参照）が収容配置される筒状のシリンダ配置部２３が形成されている。また、ハウジング２０の裏側であって、前記操作部材配置部２１に整合する位置には、半円弧状の筒状壁２５が突設されており、その内側に一対のロータ５０，６０が配置されるようになっている。
【００３５】
図１１に示すように、凹状の操作部材配置部２１の底面のほぼ中央には、前記操作部材４０の押込み凸部４５がスライド可能に挿通される、円弧状をなしたカム挿入孔２７がハウジング２０の裏側に連通して形成されている。
【００３６】
前記操作部材配置部２１の底面であって、その長手方向一側部には、前記ガイド用ボス４６に適合する円形状をなしたボス挿通孔２８が形成されている（図１１参照）。また、前記ハウジング２０の背面側であって、前記ボス挿通孔２８の周縁からは、前記ガイド用ボス４６が挿通され、そのスライドガイドとなる、略円筒状をなしたガイド筒３０が突設されている（図８、図１６及び図１７参照）。更に図１４に示すように、このガイド筒３０は、一対のガイド用ボス４６，４７の配列方向（ハウジング２０の長手方向）及びそれに直交する方向において、前記ガイド用ボス４６の外周に適合する断面形状（略円形断面）をなしている。
【００３７】
一方、前記操作部材配置部２１の底面であって、長手方向他側部には、前記ガイド用ボス４７が挿通可能とされた長孔状をなしたボス挿通孔２９が形成されている（図１１参照）。また、前記ハウジング２０の背面側であって、前記ボス挿通孔２９の周縁からは、前記ガイド用ボス４７が挿通され、そのスライドガイドとなる、略円筒状をなしたガイド筒３１が突設されている（図８、図１６及び図１７参照）。更に図１４に示すように、このガイド筒３１は、一対のガイド用ボス４６，４７の配列方向（ハウジング２０の長手方向）に直交する方向において前記ガイド用ボス４７の外周に適合し、かつ、前記配列方向において同ガイド用ボス４７が遊嵌する長孔状断面をなしている。
【００３８】
また、図１７及び図１８に示すように、各ガイド筒３０，３１の、対応するガイド用ボス４６，４７の挿入口３０ｃ，３１ｃ寄りの部分には、前記抜け止め片４６ａ，４７ａが係合する係止突起３０ｂ，３１ｂが形成されている。更に、一対のガイド筒３０，３１の、互いに離れた位置にある外周部分であって、前記挿入口３０ｃ，３１ｃよりも奥側には、前記抜け止め片４６ａ，４７ａがスライド可能に挿入される溝部３０ａ，３１ａが形成されている（図１６、図１７及び図１８参照）。
【００３９】
なお、この実施形態における溝部３０ａ，３１ａは、ガイド筒３０，３１の背面側端部に至るまで形成され、凹溝状をなしているが（図８及び図１７参照）、ガイド筒３０，３１の軸方向途中において、長孔状やスリット状に切り欠いて形成してもよく、抜け止め片４６ａ，４７ａがスライド可能で且つ係合する形状であればよい。すなわち、本発明における「溝部」とは、溝のみならず、孔やスリット等も含む意味である。
【００４０】
そして、図１６、図１７及び図１８に示すように、上記操作部材４０のガイド用ボス４６，４７が、ハウジング２０のガイド筒３０，３１にそれぞれ挿入されて、操作部材４０の押込み動作のガイドがなされると共に、各抜け止め片４６ａ，４７ａが、ガイド筒３０，３１の溝部３０ａ，３１ａにスライド可能に挿入され、かつ、各抜け止め片４６ａ，４７ａが係止突起３０ｂ，３１ｂに係合することで、操作部材４０のハウジング２０からの抜け止めがなされるようになっている。
【００４１】
なお、本発明における、ガイド筒（この実施形態ではガイド筒３０）の内周が、一方のガイド用ボス（この実施形態ではガイド用ボス４６）の外周に「適合する」とは、同ガイド用ボスが対応するガイド筒により、一対のガイド用の配列方向及びそれに直交する方向において、位置ずれしないように保持されることを意味する。
【００４２】
また、本発明におけるガイド筒（この実施形態ではガイド筒３１）の内周が、他方のガイド用ボス（この実施形態ではガイド用ボス４７）の外周に「適合する」とは、同ガイド用ボスが対応するガイド筒により、一対のガイド用ボスの配列方向に直交する方向において、位置ずれしないように保持されることを意味し、同ガイド用ボスが「遊嵌する」とは、同ガイド用ボスが対応するガイド筒により、一対のガイド用ボスの配列方向において、位置ずれ可能となることを意味する。
【００４３】
この実施形態では、ガイド筒３０が円形断面をなし、ガイド筒３１が長孔状断面をなしているが、これに限定されるものではなく、例えば、ガイド筒３０を断面角形状等とし、ガイド筒３１を長方形状や楕円形状、小判形状等とし、対応するガイド用ボス４６，４７もそれに合わせた形状としてもよく、一方のガイド筒の内周が、一対のガイド用ボスの配列方向及びそれに直交する方向において、同ガイド用ボスの外周に適合し、他方のガイド筒の内周が、一対のガイド用ボスの配列方向に直交する方向において、同ガイド用ボスの外周に適合し、前記配列方向において同ガイド用ボスが遊嵌する形状であればよい。
【００４４】
また、ガイド筒３０の内周とガイド用ボス４６の外周との間、及び、ガイド筒３１の内周とガイド用ボス４７の外周との間には、グリス等の、ガイド筒３０，３１に対するガイド用ボス４６，４７の摺動抵抗を軽減するための潤滑剤が塗布されている。
【００４５】
更に図７に示すように、ハウジング２０の背面側であって、前記カム挿入孔２７に隣接した位置からは、円柱状の回転軸３３が突設されている。図１６に示すように、この回転軸３３は、その軸心が、前記ガイド筒３０，３１の軸心に対して所定長さＬだけ位置ずれた位置（オフセットされた位置）に設けられている。それにより、ハウジング２０に対して操作部材４０が装着されたときに、操作部材４０の押込み凸部４５が、一対のロータ５０，６０の後述するカム斜面５５，６５（図１５等参照）にほぼ整合する位置に配置されるようになっている。
【００４６】
また、図７に示すように、ハウジング２０の裏側であって、前記カム挿入孔２７に隣接した位置からは、円柱状の回転軸３３が突設されていると共に、同カム挿入孔２７の、回転軸３３に対向する周縁からは、円弧状のガイド壁３４が突設されており、一対のロータ５０，６０の回動動作時のガイドをなしている。更に図８及び図１６に示すように、前記筒状壁２５の先端内周には、抜け止め突起３５，３５が突設されており、第２ロータ６０の抜け止めをなしている。
【００４７】
また、図７に示すように、長孔状断面をなすガイド筒３１の側方に設けられたシリンダ配置部２３には、その外側周縁から、同シリンダ配置部２３内に連通するように、スロット状をなしたストッパ差込孔２３ａが形成されている。このストッパ差込孔２３ａに、ストッパ９５（図７参照）がスライド可能に挿入されるようになっている。更にシリンダ配置部２３の底面には、抜け止め孔２３ｂ及び位置規制孔２３ｃ，２３ｃが形成されている。
【００４８】
なお、上記実施形態においては、操作部材４０に一対のガイド用ボス４６，４７が設けられ、ハウジング２０に一対のガイド筒３０，３１が設けられているが、ガイド用ボスやガイド筒は、それ以上の個数を設けてもよく、特に限定はされない。
【００４９】
また、図１においては、車両が右ハンドルの場合におけるグローブボックス１及びリッド７が示されているが、同図に示すように、この実施形態においては、上記ハウジング２０は、リッド７の運転席寄りの上部側方に取付けられているようになっている。その結果、ハウジング２０に設けた一対のガイド筒３０，３１のうち、長孔状断面をなしたガイド筒３１は、車両の運転席寄りの位置に配置され、他方のガイド筒３０には、前記ガイド筒３１よりも助手席側の位置に配置される。
【００５０】
次に、上記ハウジング２０のシリンダ配置部２３に収容されるキーシリンダ９０、及び、ハウジング２０のストッパ差込孔２３ａにスライド可能に配置されるストッパ９５について説明する。
【００５１】
図９及び図１７に示すように、キーシリンダ９０は、図示しないキーの回転操作により回転する回転体９２と、この回転体９２の背面側から突設したキー突起９３とを有している。
【００５２】
一方、ストッパ９５は、板状をなす基部９６と、該基部９６の一側部から突出した突片９７とを有している。前記基部９６には、前記キー突起９３が移動する移動孔９６ａが形成されている。この移動孔９６ａ内で前記キー突起９３が移動することで、ストッパ９５がストッパ差込孔２３ａ内にてスライド動作して、前記突片９７が、ハウジング２０の長孔状をなすガイド筒３１の背面側開口に対して出没可能に移動するようになっている。また、前記基部９６には、前記ハウジング２０の抜け止め孔２３ｂに係合する抜け止め爪９６ｂ、及び、位置規制孔２３ｃ、２３ｃに係脱可能に係止するクリック爪９６ｃが形成されている（図７、図１６及び図１７参照）。
【００５３】
そして、キーの回転操作でキーシリンダ９０のキー突起９３が移動して、ストッパ９５がスライドすることにより、ハウジング２０のガイド筒３１の背面側開口の一部が、ストッパ９５の突片９７により覆われて（図２０の仮想線参照）、操作部材４０の押込み規制がなされ、キーを反対側に戻すことにより押込み規制が解除されるようになっている。
【００５４】
次に、ハウジング２０に回転可能に装着される第１ロータ５０及び第２ロータ６０について説明する。
【００５５】
図７、図１５及び図１９に示すように、第１ロータ５０は、略円筒状をなし、前記回転軸３３が挿通されて回転支持される筒部５１と、該筒部５１の外周に連設された略半円弧状をなす受け部５２とを有している。受け部５２の周方向一側部からは外径方向に向かってアーム部５３が延設され、同アーム部５３の表面側から連結突部５３ａが突設されており、ロッド７０の基端部が連結されるようになっている。
【００５６】
また、図１５、図１７及び図１９に示すように、前記受け部５２の周方向他側部の表面側には、周方向に沿って端部に向かって次第に高さが低くなるように形成されたカム斜面５５が形成されている。更に図７に示すように、受け部５２の裏側（カム斜面５５の反対側）には、ねじりコイルばね１５の一端部１７を引き掛けるための、ばね引き掛け溝５３ｂが形成されている。
【００５７】
一方、第２ロータ６０は、図７，９，１５，１６，１９等に示すように、略円板状の基部６１と、該基部６１の中心に形成された孔の周縁から筒状に突設し、前記回転軸３３が挿通されて回動支持する筒状の軸受け部６２とを有している。また、図１９に示すように、第２ロータ６０を第１ロータ５０及び回転軸３３に対して同軸的に配置されたときに、前記基部６１の表面側であって、第１ロータ５０の受け部５２の周方向延長線上に位置するように、受け部６３が突設されている。この受け部６３にも、前記第１ロータ５０と同様に、周方向に沿って第１ロータ５０のカム斜面５５側に向けて次第に高さが低くなるように形成されたカム斜面６５が形成されている（図１５、図１７及び図１９参照）。
【００５８】
また、図１５及び図１９に示すように、基部６１の表側であって、前記受け部６３に隣接した位置には、所定隙間を空けてバネ挟持部６４が突設されている。更に図７及び図２０に示すように、基部６１の裏側の所定位置には連結突部６１ａが突設されており、ロッド８０の基端部が連結されるようになっている（図８及び図１６参照）。
【００５９】
そして、図１５及び図１７に示すように、第２ロータ６０の表側に第１ロータ５０が配置され、第１ロータ５０の筒部５１及び第２ロータ６０の軸受け部６２に、ハウジング２０の回転軸３３が挿通されることで、ハウジング２０に対して第１ロータ５０及び第２ロータ６０が同軸的に回転可能に装着される。
【００６０】
更に、ねじりコイルばね１５の巻回部１６が、第１ロータ５０の受け部５２及び第２ロータ６０の受け部６３の外周に配置されると共に、一端部１７が第１ロータ５０の前記ばね引き掛け溝５３ｂに引き掛けられ、他端部１８が第２ロータ６０の上記バネ挟持部６４により挟持されて装着される。
【００６１】
上記状態では、第１ロータ５０のカム斜面５５と、第２ロータ６０のカム斜面６５との、最も低い端部どうしが対向する位置となるように配置されており、かつ、第１ロータ５０及び第２ロータ６０は、ねじりコイルばね１５によって、図１９（ｃ）の矢印に示すように、カム斜面５５，６５の最も低い端部どうしが近接する方向となるように回転付勢されるようなっている。なお、第１ロータ５０又は第２ロータ６０は、他のロータの回転動作に影響を受けることなく、互いに独立して回転するようになっている。
【００６２】
次に、一対のロータ５０，６０にそれぞれ連結される一対のロッド７０，８０について説明する。
【００６３】
図１に示すように、一対のロッド７０，８０は、所定長さで直線状に伸びる棒状をなしており、この実施形態では、ロッド８０の方がロッド７０よりも長く形成されている。また、ロッド７０の先端部は、外面がテーパ状をなした係合部７１をなしており、グローブボックス１に形成されたロック部３に係脱する部分となっている（図２３及び図２４参照）。更に図２１及び図２３に示すように、ロッド７０の先端部よりもやや基端部側には、枠状のロッド保持部７３が突設されている。一方、図５に示すように、ロッド８０の先端側の当接部８１の裏面側には、磁石８３が埋設されており、これがグローブボックス１に配置された磁石吸着部材５に当接して接合する部分となっている。
【００６４】
そして、これらのロッド７０及びロッド８０は、その基端部にそれぞれ連結され、ねじりコイルばね１５によって、図１９（ｃ）の矢印に示すように回転付勢された第１ロータ５０及び第２ロータ６０によって、図１６の矢印に示すように、ロッド７０の係合部７１をロック部３に係合する方向となるように、かつ、ロッド８０の当接部８１を磁石吸着部材５に当接する方向となるように、両ロッド７０，８０が付勢されるようになっている。
【００６５】
その結果、ロッド７０は、ねじりコイルばね１５に回転付勢された第１ロータ６０を介して、常時は係合部７１がロック部３に係合する方向に付勢されて、図２３に示すように、リッド７が閉じたときに、同係合部７１がロック部３に係合するようになっている。
【００６６】
一方、ロッド８０は、その当接部８１に設けた磁石８３が、グローブボックス１に配設された磁石吸着部材５に磁力により吸着されて、磁石吸着部材５の磁気吸着面５ａと磁石８３の磁気吸着面８３ａとが互いに当接することで、磁石吸着部材５及び磁石８３が接合し（図６及び図２３参照）、また、この状態でロッド８０をスライドさせて剪断方向に外力を作用させることによって引き剥がすことが可能となっている（図２４参照）。
【００６７】
そして、ハウジング２０に対して操作部材４０を押し込むと、前述したように、両ロータ５０，６０のカム斜面５５，６５の最も低い端部どうしが離反する方向となるように回転し、ロッド７０の係合部７１がロック部３に係合しない方向にスライドして、ロック解除がなされると共に、ロッド８０の当接部８１の磁石８３が、その磁気吸着面８３ａ及び磁石吸着部材５の磁気吸着面５ａに沿って、磁石吸着部材５から離れる方向にスライドして、磁石８３と磁石吸着部材５との磁気吸着による当接ロックが解除され（図２４参照）、グローブボックス１の開口部２からリッド７が開くようになっている。
【００６８】
なお、この実施形態においては、ロッド７０及びロッド８０が、「可動ロック部材」をなしている。また、この実施形態においては、ロッド７０の係合部７１がロック部３に係脱し、ロッド８０の当接部８１が磁石吸着部材５に互いに当接して接合するようになっているが、固定体に孔状や突起形状等のロック部３をもう一つ設けて、ロッド８０の先端部を係脱させるようにしてもよい。更に一対の可動ロック部材は、「ロック部に離脱可能に結合する」ように構成されているが、これは、上記のように、ロック部に可動ロック部材が係脱する場合や、磁石吸着部材に可動ロック部材が当接して接合する場合も含むことを意味する。
【００６９】
また、この実施形態においては、図１に示すように、操作部材４０、第１ロータ５０及び第２ロータ６０、更にロッド７０は、グローブボックス１の開口部２に開閉可能に取付けられるリッド７の運転手寄りの一側部に配置されている。なお、図１は、車両が右ハンドルの場合が示されている。
【００７０】
更にこの実施形態のロック装置１０は、ロッド７０の係合部７１を、ロック部３に係合しない位置となるように、引き込んだ状態で保持する保持手段を有している。
【００７１】
図２１〜２４に示すように、この保持手段は、リッド７を構成するボックス９のロッド挿出孔９ａ（図３参照）の内方に配置される枠状の保持枠７５と、該保持枠７５に回動可能に装着されるレバー７７とを有している。前記レバー７７の先端部７７ａは、ピン状をなしており、保持枠７５に形成された長孔７５ａから挿出され、同長孔７５ａ内にて揺動可能とされている。また、図２２（ａ）及び図２３に示すように、レバー７７は、操作部材４０を押し込んでいない状態で、その基端部７７ｂがロッド７０の枠状のロッド保持部７３内に挿入配置されており、更に、同基端部７７ｂ側が、図示しない付勢手段によって、リッド７のパネル８側に向けて回動付勢されている（図２３の矢印参照）。
【００７２】
そして、グローブボックス１の開口部２がリッド７で閉じた状態にロックされ、ロッド７０の係合部７１がロック部３に係合する方向に付勢された状態から、操作部材４０を押し込んで、第１ロータ５０を回転させて、ロッド７０の係合部７１を、ロック部３に係合しない方向にスライドさせると、図示しない付勢手段の付勢力によってレバー７７が回動し、その基端部７７ｂがロッド７０のロッド保持部７３の下端部７３ａに係合し（図２１及び図２４参照）、ロッド７０の係合部７１がロック部３に係合しない状態に保持されるようになっている。
【００７３】
また、上記状態でグローブボックス１の開口部２に対してリッド７を押し込むと、ロック部３の周縁に、レバー７７の先端部７７ａが押圧されて、図示しない付勢手段に抗してレバー７７が回動し、その基端部７７ｂがロッド保持部７３内に挿入されるので、ロッド７０の係合部７１の保持状態が解除されて、ロッド７０の係合部７１が再度ロック部３に係合する方向に付勢されるようになっている（図２２（ａ）及び図２３参照）。
【００７４】
次に、上記構成部材からなるロック装置１０及び操作装置１１の作用効果について説明する。
【００７５】
このロック装置１０は、グローブボックス１の開口部２を閉じる前の状態において、ねじりコイルばね１５によって、カム斜面５５，６５の最も低い端部どうしが近接する方向となるように、第１ロータ５０及び第２ロータ６０が回転付勢され（図１９（ｃ）参照）、更に両ロータ５０，６０を介して、ロッド７０の係合部７１をロック部３に係合する方向に、かつ、ロッド８０の当接部８１を磁石吸着部材５に当接する方向に、両ロッド７０，８０が付勢されている（図１６及び図２３参照）。なお、ロッド７０のロッド保持部７３内にレバー７７の基端部７７ｂが挿入されて、ロッド７０の引込み保持が解除された状態の場合について説明する（図２２（ａ）及び図２３参照）。
【００７６】
上記状態において、グローブボックス１の開口部２を閉じるべく、リッド７を押し込むと、ロッド７０の係合部７１のテーパ面が開口部２の内面に押圧されて、ねじりコイルばね１５からの付勢力に抗して、ロッド７０がリッド内方に向けて引き込まれていくと共に、ロッド８０の当接部８１が、グローブボックス１の凹部４（図４参照）内に入り込んでいく。
【００７７】
その後、係合部７１が開口部２の角孔状のロック部３に至ると、ねじりコイルばね１５により第１ロータ５０が回転付勢されて、ロッド７０が再度リッド外方に向けて押し出され、係合部７１がロック部３に係合すると共に、ロッド８０の当接部８１に設置された磁石８３が、グローブボックス１の凹部４内に配置された磁石吸着部材５に磁力によって吸着されて、磁気吸着面５ａ，８３ａどうしが互いに当接して、磁石８３と磁石吸着部材５が接合し、グローブボックス１の開口部２がリッド７により閉じた状態にロックされる（図２３参照）。
【００７８】
上記のようなリッド７のロック状態を維持する際には、キーシリンダ９０を図示しないキーによって回転させて、そのキー突起９３を介してストッパ９５をスライドさせる。その結果、ストッパ９５の突片９７が、長孔状断面をなすガイド筒３１の背面側開口を覆うように移動し（図２０参照）、これにガイド筒３１に挿入されるガイド用ボス４７が当接するので、操作部材４０がそれ以上押し込まれることを規制することができ、操作部材４０によりロッド７０，８０がスライドすることを防止して、ロック部との結合状態を維持することができる。
【００７９】
上記のように、ガイド筒３１に挿入されたガイド用ボス４７に、ストッパ９５の突片９７が当接して、操作部材４０の押込み規制を図るので、長孔内で遊嵌するガイド用ボス４７に対してストッパ９５で移動を規制して、そのガタ付きを抑制することができると共に、離れた位置にあるもう１つのガイド用ボス４６は、一対のガイド用ボス４６，４７の配列方向及びそれに直交する方向において、同ガイド用ボス４６の外周に適合する断面形状をなすガイド筒３０に挿入されるので、操作部材４０が傾くことを抑制して、ハウジング２０の奥方まで操作部材４０を確実に押し込むことができる。
【００８０】
一方、グローブボックス１の開口部２からリッド７を開く場合には、ハウジング２０に対して操作部材４０を押し込む。すると、操作部材４０の押込み凸部４５が、両ロータ５０，６０のカム斜面５５，６５をそれぞれ押圧して、ねじりコイルばね１５の回転付勢力に抗して、両ロータ５０，６０のカム斜面５５，６５の最も低い端部どうしが離反する方向となるように回転し（図１９（ａ）参照）、ロッド７０の係合部７１がロック部３に係合しない方向にスライドしてロック解除がなされると共に、ロッド８０の当接部８１の磁石８３が、その磁気吸着面８３ａ及び磁石吸着部材５の磁気吸着面５ａに沿って、磁石吸着部材５から離れる方向にスライドして、磁石８３と磁石吸着部材５とが互いに離れて、磁気吸着による当接ロックが解除されて（図２４参照）、グローブボックス１の開口部２からリッド７を開くことができる（図１参照）。
【００８１】
そして、このロック装置１０及び操作装置１１においては、上記のように、操作部材４０に設けたガイド用ボス４６，４７が、押込み部４１の外周縁の内側から突設し、かつ、それらが対応するガイド筒３０，３１にそれぞれ挿入されている。そのため、ガイド用ボス４６，４７や、ガイド筒３０，３１の間に塗布された摺動用のグリスが保持されるので、操作部材４０を押し込んだときに露出する部分、例えば、ハウジング２０の内周や、操作部材４０の押込み部４１の外周等（図１３（ｂ）参照）に、グリスを漏れにくくすることができ、操作者の指や手にグリスが付着することを防止することができる。
【００８２】
また、この実施形態においては、ハウジング２０の背面側から突設した回転軸３３の軸心が、ガイド筒３０，３１の軸心に対して所定長さＬだけ位置ずれした位置に設けられているので（図１６参照）、ハウジング２０に対して操作部材４０が装着されたときに、操作部材４０の押込み凸部４５が、一対のロータ５０，６０のカム斜面５５，６５にほぼ整合する位置に配置されるようになっている。そのため、ハウジング２０に対して操作部材４０を操作すべく、押込み部４１を押し込むと、その押込み力を、押込み凸部４５を介して、一対のロータ５０，６０のカム斜面５５，６５に効率的に作用させることができ、一対のロータ５０，６０をスムーズに回転させて、ロック解除時の操作性を向上させることができる。
【００８３】
更に、この実施形態においては、一方のガイド用ボス４６に対応するガイド筒３０の内周は、一対のガイド用ボス４６，４７の配列方向及びそれに直交する方向において、ガイド用ボス４６の外周に適合する断面形状をなすので（図１４参照）、同ガイド用ボス４６を同ガイド筒３０に挿入することで、それらの位置決めを図ることができる。また、他方のガイド用ボス４７に対応するガイド筒３１の内周は、一対のガイド用ボス４６，４７の配列方向に直交する方向において、同ガイド用ボス４７の外周に適合すると共に、前記配列方向において同ガイド用ボス４７が遊嵌する長孔状断面をなしているので（図１４参照）、一対のガイド用ボス４６，４７や、一対のガイド筒３０，３１の間隔等に寸法誤差があっても、それを吸収しつつ、他方のガイド用ボス４７を長孔状断面のガイド筒３１に挿入することができると共に、操作部材４０の回転規制を図ることができる。更に、長孔状断面を有するガイド筒３１によって寸法誤差を吸収できるので、ガイド筒３１内周に対するガイド用ボス４７の摺動抵抗を低くすることができる。
【００８４】
また、この実施形態においては、ハウジング２０に設けた一対のガイド筒３０，３１のうち、長孔状断面をなしたガイド筒３１は、車両の運転席寄りの位置に配置され、他方のガイド筒３０には、前記ガイド筒３１よりも助手席側の位置に配置されるようになっている。そして、運転者が、操作部材４０を押し込む際には、操作部材４０の、運転席側に近い方向の一側部を押し込むことが多いが、この場合、操作部材４０の押込み部４１に付与される押し込み力が、押し込み方向に対して斜めに作用し、操作部材４０が斜めに押し込まれることとなる。このような場合でも、この実施形態においては、一方のガイド用ボス４６がガイド筒３０に適合し、他方のガイド用ボス４７がガイド筒３１に遊嵌するようになっているので、操作部材４０が斜めに押し込まれても、ガイド筒３０によりガイド用ボス４６が支持される一方、ガイド筒３１内でガイド用ボス４７が適宜遊動するため、操作部材４０の押し込み時の摺動抵抗を低くすることができ、操作部材４０をスムーズに押し込むことができる。
【００８５】
更に、この実施形態においては、各ガイド用ボス４６，４７の外周に設けた抜け止め片４６ａ，４７ａが、対応するガイド筒３０，３１の、ガイド用ボス４６，４７の挿入口３０ｃ，３１ｃ側で係合するように構成されているので（図１７参照）、各ガイド用ボス４６，４７をガイド筒３０，３１に挿入することによって、ハウジング２０に対して操作部材４０を抜け止めすることができる。更に、各抜け止め片４６ａ，４７ａは、対応するガイド筒３０，３１に形成された溝部３０ａ，３１ａに入ってスライドするので（図１７参照）、摺動抵抗を軽減することができると共に、該溝部３０ａ，３１ａや、抜け止め片４６ａ，４７ａを形成するスリット４８に、グリスが入り込んで保持されるので、ハウジング２０の内周や、操作部材４０の押込み部４１の外周等に、グリスが漏れることをより確実に防止することができる。
【００８６】
図２５〜２７には、本発明に係る開閉体のロック装置及び押し込み式操作装置の、他の実施形態が示されている。なお、前記実施形態と実質的に同一部分には同符号を付してその説明を省略する。
【００８７】
図２５〜２７に示すように、この実施形態の開閉体のロック装置１０ａ（以下、「ロック装置１０ａ」）及び押し込み式操作装置１１ａ（以下、「操作装置１１ａ」）は、グローブボックス１の上面側に、操作部材４０や、第１ロータ５０、第２ロータ６０等を収容するハウジング２０が取付けられており、ロッド７０ａ及びロッド８０ａも、グローブボックス１側に配設されている。
【００８８】
一方、リッド７のボックス９の長手方向一側部に孔状のロック部３が形成されており（図２７参照）、同ボックス９の長手方向他側部から、磁気吸着面５ａを有する磁石吸着部材５が所定長さで延設されている。
【００８９】
また、前記ロッド７０ａは、先端部側がＬ字状に屈曲した形状をなすと共に、係合部７１がグローブボックス１内方に向けて屈曲形成されている。更にロッド８０ａは、先端部側がＬ字状に屈曲した形状をなし、その先端の当接部８１に磁石８３が埋設されており、グローブボックス１の他側部に形成されたスライド孔４ａから挿出されている。
【００９０】
そして、これらのロッド７０ａ，８０ａは、ねじりコイルばね１５によって回転付勢された第１ロータ５０及び第２ロータ６０を介して、ロッド７０ａの係合部７１をロック部３に係合する方向となるように、かつ、ロッド８０ａの当接部８１を磁石吸着部材５に当接する方向となるように、すなわち、ロッド７０ａの係合部７１及びロッド８０ａの当接部８１が互いに近づくようにグローブボックス１の内方に向けて、ロッド７０ａ，８０ａが付勢されるようになっている（図２７（ａ）の矢印参照）。
【００９１】
一方、ハウジング２０に対して操作部材４０を押し込むことにより、一対のロータ５０，６０が回転して、ロッド７０ａの係合部７１がロック部３から抜け出てロック解除がなされると共に、ロッド８０ａの当接部８１の磁石８３がグローブボックス１外方に向けてスライドし、磁石８３と磁石吸着部材５との磁気吸着による当接ロックが解除されて（図２７（ｂ）参照）、グローブボックス１の開口部２からリッド７が開くようになっている。
【００９２】
なお、以上の実施形態においては、ねじりコイルばね１５を用いて第１ロータ５０及び第２ロータ６０をそれぞれ回転付勢させることで、間接的にロッド７０，７０ａ、８０、８０ａをスライド付勢させたが、例えば、引張りばねやコイルスプリング等を用いて、これらのロッドをスライド付勢させてもよく、特に限定されるものではない。その場合には、引張りばねやコイルスプリング等が「付勢手段」をなす。
【００９３】
また、上記実施形態では、左右一対のロッドを一対のロータ５０，６０を介してそれぞれスライド動作させるようになっているが、これに限定されるものではない。例えば、ロータの代わりにピニオンギヤを採用すると共に、一対のロッドにラック溝をそれぞれ形成しておき、このラック溝に前記ピニオンギヤに歯合させて、一方のロッドをスライドさせることで、ピニオンギヤを介して他方のロッドをスライドさせるようにしてもよい。
【符号の説明】
【００９４】
１  グローブボックス（固定体）
２  開口部
３  ロック部
７  リッド（開閉体）
１０，１０ａ  開閉体のロック装置（ロック装置）
１１，１１ａ  押し込み式操作装置（操作装置）
１５  ねじりコイルばね（付勢手段）
２０  ハウジング
２８，２９  ボス挿通孔
３０，３１  ガイド筒
３０ａ，３１ａ  溝部
３３  回転軸
４０  操作部材
４１  押込み部
４５  押込み凸部
４６，４７  ガイド用ボス
４６ａ，４７ａ  抜け止め片
４８  スリット
７０，７０ａ，８０，８０ａ  ロッド（可動ロック部材）
９０  キーシリンダ
９５  ストッパ
【図１】
2015158115.tif 000003
【図２】
2015158115.tif 000004
【図３】
2015158115.tif 000005
【図４】
2015158115.tif 000006
【図５】
2015158115.tif 000007
【図６】
2015158115.tif 000008
【図７】
2015158115.tif 000009
【図８】
2015158115.tif 000010
【図９】
2015158115.tif 000011
【図１０】
2015158115.tif 000012
【図１１】
2015158115.tif 000013
【図１２】
2015158115.tif 000014
【図１３】
2015158115.tif 000015
【図１４】
2015158115.tif 000016
【図１５】
2015158115.tif 000017
【図１６】
2015158115.tif 000018
【図１７】
2015158115.tif 000019
【図１８】
2015158115.tif 000020
【図１９】
2015158115.tif 000021
【図２０】
2015158115.tif 000022
【図２１】
2015158115.tif 000023
【図２２】
2015158115.tif 000024
【図２３】
2015158115.tif 000025
【図２４】
2015158115.tif 000026
【図２５】
2015158115.tif 000027
【図２６】
2015158115.tif 000028
【図２７】
2015158115.tif 000029